【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
順次投影のためにマルチフィールドカラー仮想コンテンツをワーピングするコンピュータ実装方法であって、前記方法は、
異なる第１および第２の色を有する第１および第２のカラーフィールドを取得することと、
第１の中間頭部姿勢を予測することと、
第２の中間頭部姿勢を予測することと、
前記第１の中間頭部姿勢に基づいて、前記第１のカラーフィールドをワーピングすることによって、中間のワーピングされた第１のカラーフィールドを生成することと、
前記第２の中間頭部姿勢に基づいて、前記第２のカラーフィールドをワーピングすることによって、中間のワーピングされた第２のカラーフィールドを生成することと、
ワーピングされた第１のカラーフィールドの投影のための第１の時間を決定することと、
ワーピングされた第２のカラーフィールドの投影のための第２の時間を決定することと、
前記第１の時間に対応する第１の頭部姿勢を予測することと、
前記第２の時間に対応する第２の頭部姿勢を予測することと、
前記第１の頭部姿勢に基づいて前記中間のワーピングされた第１のカラーフィールドをワーピングすることによって、前記ワーピングされた第１のカラーフィールドを生成することと、
前記第２の頭部姿勢に基づいて前記中間のワーピングされた第２のカラーフィールドをワーピングすることによって、前記ワーピングされた第２のカラーフィールドを生成することと
を含み、
前記ワーピングされた第１のカラーフィールドを生成することは、前記中間のワーピングされた第１のカラーフィールドを生成することよりも計算集約的ではなく、
前記ワーピングされた第２のカラーフィールドを生成することは、前記中間のワーピングされた第２のカラーフィールドを生成することよりも計算集約的ではない、方法。
【請求項２】
前記第１のカラーフィールドは、Ｘ、Ｙ場所における第１のカラーフィールド情報を備えている、請求項１に記載の方法。
【請求項３】
前記第１のカラーフィールド情報は、前記第１の色における第１の明度を備えている、請求項２に記載の方法。
【請求項４】
前記第２のカラーフィールドは、前記Ｘ、Ｙ場所における第２のカラーフィールド情報を備えている、請求項３に記載の方法。
【請求項５】
前記第２のカラーフィールド情報は、前記第２の色における第２の明度を備えている、請求項４に記載の方法。
【請求項６】
前記ワーピングされた第１のカラーフィールドは、第１のワーピングされたＸ、Ｙ場所におけるワーピングされた第１のカラーフィールド情報を備えている、請求項１に記載の方法。
【請求項７】
前記ワーピングされた第２のカラーフィールドは、第２のワーピングされたＸ、Ｙ場所におけるワーピングされた第２のカラーフィールド情報を備えている、請求項６に記載の方法。
【請求項８】
前記第１の頭部姿勢に基づいて前記第１のカラーフィールドをワーピングすることは、第１の変換を前記第１のカラーフィールドに適用し、前記ワーピングされた第１のカラーフィールドを生成することを含む、請求項１に記載の方法。
【請求項９】
前記第２の頭部姿勢に基づいて前記第２のカラーフィールドをワーピングすることは、第２の変換を前記第２のカラーフィールドに適用し、前記ワーピングされた第２のカラーフィールドを生成することを含む、請求項１に記載の方法。
【請求項１０】
前記ワーピングされた第１および第２のカラーフィールドを順次プロジェクタに送信することと、
前記順次プロジェクタが、前記ワーピングされた第１のカラーフィールドおよび前記ワーピングされた第２のカラーフィールドを順次投影することと
をさらに含む、請求項１に記載の方法。
【請求項１１】
前記ワーピングされた第１のカラーフィールドは、前記第１の時間に投影され、前記ワーピングされた第２のカラーフィールドは、前記第２の時間に投影される、請求項１０に記載の方法。
【請求項１２】
前記ワーピングされた第１のカラーフィールドの投影のための前記第１の時間を決定することは、関連投影システムのフレームレートおよび別の特性を分析することを含む、請求項１に記載の方法。
【請求項１３】
前記ワーピングされた第２のカラーフィールドの投影のための前記第２の時間を決定することは、関連投影システムのフレームレートおよび別の特性を分析することを含む、請求項１に記載の方法。
【請求項１４】
順次投影のためにマルチフィールドカラー仮想コンテンツをワーピングするためのシステムであって、
順次投影のための異なる第１および第２の色を有する第１および第２のカラーフィールドを受信するためのワーピングユニットを備え、
前記ワーピングユニットは、
姿勢推定器であって、
それぞれのワーピングされた第１および第２のカラーフィールドの投影のための第１および第２の時間を決定することと、
第１および第２の中間頭部姿勢を予測することと、
それぞれの第１および第２の時間における第１および第２の頭部姿勢を予測することと
を行う、姿勢推定器と、
変換ユニットであって、
それぞれの第１および第２の中間頭部姿勢に基づいて、それぞれの第１および第２のカラーフィールドをワーピングすることによって、中間のワーピングされた第１および第２のカラーフィールドを生成することと、
それぞれの第１および第２の頭部姿勢に基づいて、それぞれの中間のワーピングされた第１および第２のカラーフィールドをワーピングすることによって、前記ワーピングされた第１および第２のカラーフィールドを生成することと
を行う、変換ユニットと
を備え、
前記ワーピングされた第１および第２のカラーフィールドを生成することは、前記中間のワーピングされた第１および第２のカラーフィールドを生成することよりも計算集約的ではない、システム。
【請求項１５】
前記それぞれのワーピングされた第１および第２のカラーフィールドの投影のための前記第１および第２の時間を決定することは、関連投影システムのフレームレートおよび別の特性を分析することを含む、請求項１４に記載のシステム。
【請求項１６】
非一過性コンピュータ読み取り可能な媒体において具現化されるコンピュータプログラム製品であって、前記コンピュータ読み取り可能な媒体は、一連の命令を記憶しており、前記一連の命令は、プロセッサによって実行されると、順次投影のためにマルチフィールドカラー仮想コンテンツをワーピングする方法を前記プロセッサに実行させ、前記方法は、
異なる第１および第２の色を有する第１および第２のカラーフィールドを取得することと、
第１の中間頭部姿勢を予測することと、
第２の中間頭部姿勢を予測することと、
前記第１の中間頭部姿勢に基づいて、前記第１のカラーフィールドをワーピングすることによって、中間のワーピングされた第１のカラーフィールドを生成することと、
前記第２の中間頭部姿勢に基づいて、前記第２のカラーフィールドをワーピングすることによって、中間のワーピングされた第２のカラーフィールドを生成することと、
ワーピングされた第１のカラーフィールドの投影のための第１の時間を決定することと、
ワーピングされた第２のカラーフィールドの投影のための第２の時間を決定することと、
前記第１の時間に対応する第１の頭部姿勢を予測することと、
前記第２の時間に対応する第２の頭部姿勢を予測することと、
前記第１の頭部姿勢に基づいて前記中間のワーピングされた第１のカラーフィールドをワーピングすることによって、前記ワーピングされた第１のカラーフィールドを生成することと、
前記第２の頭部姿勢に基づいて前記中間のワーピングされた第２のカラーフィールドをワーピングすることによって、前記ワーピングされた第２のカラーフィールドを生成することと
を含み、
前記ワーピングされた第１のカラーフィールドを生成することは、前記中間のワーピングされた第１のカラーフィールドを生成することよりも計算集約的ではなく、
前記ワーピングされた第２のカラーフィールドを生成することは、前記中間のワーピングされた第２のカラーフィールドを生成することよりも計算集約的ではない、コンピュータプログラム製品。
【請求項１７】
前記ワーピングされた第１のカラーフィールドの投影のための前記第１の時間を決定することは、関連投影システムのフレームレートおよび別の特性を分析することを含む、請求項１６に記載のコンピュータプログラム製品。
【請求項１８】
前記ワーピングされた第２のカラーフィールドの投影のための前記第２の時間を決定することは、関連投影システムのフレームレートおよび別の特性を分析することを含む、請求項１６に記載のコンピュータプログラム製品。
【手続補正２】
【補正対象書類名】明細書
【補正対象項目名】００２５
【補正方法】変更
【補正の内容】
【００２５】
本開示の追加の目的および他の目的、特徴、ならびに利点は、発明を実施するための形態、図、および請求項に説明される。
（項目１）
順次投影のためにマルチフィールドカラー仮想コンテンツをワーピングするコンピュータ実装方法であって、上記方法は、
異なる第１および第２の色を有する第１および第２のカラーフィールドを取得することと、
ワーピングされた第１のカラーフィールドの投影のための第１の時間を決定することと、
ワーピングされた第２のカラーフィールドの投影のための第２の時間を決定することと、
上記第１の時間における第１の姿勢を予測することと、
上記第２の時間における第２の姿勢を予測することと、
上記第１の姿勢に基づいて上記第１のカラーフィールドをワーピングすることによって、上記ワーピングされた第１のカラーフィールドを生成することと、
上記第２の姿勢に基づいて上記第２のカラーフィールドをワーピングすることによって、上記ワーピングされた第２のカラーフィールドを生成することと
を含む、方法。
（項目２）
上記第１のカラーフィールドは、Ｘ、Ｙ場所における第１のカラーフィールド情報を備えている、項目１に記載の方法。
（項目３）
上記第１のカラーフィールド情報は、上記第１の色における第１の明度を備えている、項目２に記載の方法。
（項目４）
上記第２のカラーフィールドは、上記Ｘ、Ｙ場所における第２のカラー情報を備えている、項目３に記載の方法。
（項目５）
上記第２のカラーフィールド情報は、上記第２の色における第２の明度を備えている、項目４に記載の方法。
（項目６）
上記ワーピングされた第１のカラーフィールドは、第１のワーピングされたＸ、Ｙ場所におけるワーピングされた第１のカラーフィールド情報を備えている、項目１に記載の方法。
（項目７）
上記ワーピングされた第２のカラーフィールドは、第２のワーピングされたＸ、Ｙ場所におけるワーピングされた第２のカラーフィールド情報を備えている、項目６に記載の方法。
（項目８）
上記第１の姿勢に基づいて上記第１のカラーフィールドをワーピングすることは、第１の変換を上記第１のカラーフィールドに適用し、上記ワーピングされた第１のカラーフィールドを生成することを含む、項目１に記載の方法。
（項目９）
上記第２の姿勢に基づいて上記第２のカラーフィールドをワーピングすることは、第２の変換を上記第２のカラーフィールドに適用し、上記ワーピングされた第２のカラーフィールドを生成することを含む、項目１に記載の方法。
（項目１０）
上記ワーピングされた第１および第２のカラーフィールドを順次プロジェクタに送信することと、
上記順次プロジェクタが、上記ワーピングされた第１のカラーフィールドおよび上記ワーピングされた第２のカラーフィールドを順次投影することと
をさらに含む、項目１に記載の方法。
（項目１１）
上記ワーピングされた第１のカラーフィールドは、上記第１の時間に投影され、上記ワーピングされた第２のカラーフィールドは、上記第２の時間に投影される、項目１０に記載の方法。
（項目１２）
順次投影のためにマルチフィールドカラー仮想コンテンツをワーピングするためのシステムであって、上記システムは、順次投影のための異なる第１および第２の色を有する第１および第２のカラーフィールドを受信するためのワーピングユニットを備え、
上記ワーピングユニットは、
それぞれのワーピングされた第１および第２のカラーフィールドの投影のための第１および第２の時間を決定し、それぞれの第１および第２の時間における第１および第２の姿勢を予測するための姿勢推定器と、
それぞれの第１および第２の姿勢に基づいて、それぞれの第１および第２のカラーフィールドをワーピングすることによって、上記ワーピングされた第１および第２のカラーフィールドを生成するための変換ユニットと
を備えている、システム。
（項目１３）
非一過性コンピュータ読み取り可能な媒体において具現化されるコンピュータプログラム製品であって、上記コンピュータ読み取り可能な媒体は、一連の命令を記憶しており、上記一連の命令は、プロセッサによって実行されると、順次投影のためにマルチフィールドカラー仮想コンテンツをワーピングする方法を上記プロセッサに実行させ、上記方法は、
異なる第１および第２の色を有する第１および第２のカラーフィールドを取得することと、
ワーピングされた第１のカラーフィールドの投影のための第１の時間を決定することと、
ワーピングされた第２のカラーフィールドの投影のための第２の時間を決定することと、
上記第１の時間における第１の姿勢を予測することと、
上記第２の時間における第２の姿勢を予測することと、
上記第１の姿勢に基づいて上記第１のカラーフィールドをワーピングすることによって、上記ワーピングされた第１のカラーフィールドを生成することと、
上記第２の姿勢に基づいて上記第２のカラーフィールドをワーピングすることによって、上記ワーピングされた第２のカラーフィールドを生成することと
を含む、コンピュータプログラム製品。
（項目１４）
順次投影のためにマルチフィールドカラー仮想コンテンツをワーピングするコンピュータ実装方法であって、上記方法は、
アプリケーションフレームおよびアプリケーション姿勢を取得することと、
第１の推定される表示時間における上記アプリケーションフレームの第１のワーピングのための第１の姿勢を推定することと、
上記アプリケーション姿勢および上記推定される第１の姿勢を使用して、上記アプリケーションフレームの第１のワーピングを実施し、第１のワーピングされたフレームを生成することと、
第２の推定される表示時間における上記第１のワーピングされたフレームの第２のワーピングのための第２の姿勢を推定することと、
上記推定される第２の姿勢を使用して、上記第１のワーピングフレームの第２のワーピングを実施し、第２のワーピングされたフレームを生成することと
を含む、方法。
（項目１５）
上記第２のワーピングされたフレームをほぼ上記第２の推定される表示時間において表示することをさらに含む、項目１４に記載の方法。
（項目１６）
第３の推定される表示時間における上記第１のワーピングされたフレームの第３のワーピングのための第３の姿勢を推定することと、
上記推定される第３の姿勢を使用して、上記第１のワーピングフレームの第３のワーピングを実施し、第３のワーピングされたフレームを生成することと
をさらに含み、
上記第３の推定される表示時間は、上記第２の推定される表示時間より後である、項目１５に記載の方法。
（項目１７）
上記第３のワーピングされたフレームをほぼ上記第３の推定される表示時間において表示することをさらに含む、項目１６に記載の方法。
（項目１８）
色割れ（「ＣＢＵ」）アーチファクトを最小化するコンピュータ実装方法であって、上記方法は、
受信された眼または頭部追跡情報に基づいて、ＣＢＵアーチファクトを予測することと、
上記予測されるＣＢＵアーチファクトに基づいて、カラーフィールドレートを増加させることと
を含む、方法。
（項目１９）
上記受信された眼または頭部追跡情報および上記増加させられたカラーフィールドレートに基づいて、第２のＣＢＵを予測することと、
上記予測される第２のＣＢＵアーチファクトに基づいて、ビット深度を減少させることと
をさらに含む、項目１８に記載の方法。
（項目２０）
上記増加させられたカラーフィールドレートおよび上記減少させられたビット深度を使用して、画像を表示することをさらに含む、項目１９に記載の方法。
（項目２１）
上記増加させられたカラーフィールドレートを使用して、画像を表示することをさらに含む、項目１８に記載の方法。